(57)【要約】      （修正有）【課題】複数のマット同士の接合部の表面に表れる接合形状をシンプルにすることにより、押圧した時の凹凸の発生を少なくし、接合部の変形や劣化を防止する歩行誘導マットを提供する。【解決手段】隣接して接合される一方のマット１の接合部３と他方のマット２の接合部３とを互に接合方向に同一厚みを保持して重ね合わせる構造とし、重ね合わされた上側接合部３ａに接合部３の表面を覆い且つ表面を形成するカバー部２ｃを設け、カバー部２ｃの下面側に係合突起１ａ，２ａと係合溝１ｂ，２ｂを形成し、カバー部２ｃの下面側で隣接マット１、２同士が接合される。【選択図】図１
2015224445.tif 000002
【特許請求の範囲】
【請求項１】
接合端に形成され互に嵌合し合う係合突起（１ａ，２ａ）と係合溝（１ｂ，２ｂ）を備えた接合部（３）を介して係脱可能に複数枚のマット（１，２）を連結接合し、床面上に敷設する弾性部材からなる歩行誘導マットにおいて、隣接して接合される一方のマット（１）の接合部（３）と他方のマット（２）の接合部（３）とを互に接合方向に同一厚みを保持して重ね合わせる構造とし、重ね合わされた上側接合部（３ａ）に接合部（３）の表面を覆い且つ表面を形成するカバー部（１ｃ，２ｃ）を設け、該カバー部の（１ｃ，２ｃ）の下面側に前記係合突起（１ａ，２ａ）と係合溝（１ｂ，２ｂ）を形成し、カバー部（１ｃ，２ｃ）の下面側で隣接マット同士が接合される歩行誘導マット。
【請求項２】
隣接して接合される一方のマット（１，２）の接合端にカバー部（１ｃ，２ｃ）を設けた上側接合部（３ａ）とカバー部（１ｃ，２ｃ）を設けない下側接合部（３ｂ）を設け、他方のマット（１，２）の接合端に上記上側接合部（３ａ）と下側接合部（３ｂ）にそれぞれ上下逆向きに重なり合う下側接合部（３ｂ）と上側接合部（３ａ）を設けてなる請求項１に記載の歩行誘導マット。
【請求項３】
上側接合部（３ａ）のカバー部（１ｃ，２ｃ）の下面側に係合溝（１ｂ，２ｂ）を形成し、下側接合部（３ｂ）に係合突起（１ａ，２ａ）を形成してなる請求項２に記載の歩行誘導マット。
【請求項４】
平面視においてマットの接合端の端面を幅方向の中央より片側が他方の片側よりセットバックした端面を形成し、セットバックした側の端面に係合突起（１ａ，２ａ）を突設して当該側の接合部（３）を下側接合部（３ｂ）とした請求項２又は３に記載の歩行誘導マット。
【請求項５】
マットの接合端側を除く外周縁の上面を接地面に向って緩やかに下降傾斜する傾斜面（５）に形成した請求項１〜４のいずれかに記載の歩行誘導マット。
【請求項６】
マットの傾斜面（５）の裏側の外周端側に凹凸面からなる滑り止め（７）を施した請求項５に記載の歩行誘導マット。
【請求項７】
係合突起（１ａ，２ａ）の上面と係合溝（１ｂ，２ｂ）の内部上面の前記傾斜面（５）に上下に重なり合う部分を、前記傾斜面（５）の傾斜と同方向の傾斜面（８）に形成した請求項５又は６に記載の歩行誘導マット。
【発明の詳細な説明】
【技術分野】
【０００１】
この発明は歩行者、特に視覚障害を持つ人の歩行を誘導する歩行誘導マットに関する。
【背景技術】
【０００２】
従来、硬質プラスチック製で表面に多数の突起を形成したブロック型の歩行誘導ブロックに代り、車椅子の走行を妨げず視覚障害者等の歩行を容易且つ安全に誘導するマットとして、特許文献１に示すような弾性部材よりなる誘導マットが公知である。
【先行技術文献】
【特許文献】
【０００３】
【特許文献１】実用新案登録第３１８２８３２号公報
【発明の概要】
【発明が解決しようとする課題】
【０００４】
上記特許文献１のマットは、多数のゴムマットを帯状に床面に並べて連結接合するものであり、その接合端には、互に嵌合し合うあり継手状の係合溝と係合突起が形成されたもので、その接合方法自体はマットやタイルの接合技術として古くから知られているものである。
【０００５】
しかし上記マットの接合においては、接合部の嵌合と係止によりマットを並べる接合方向と幅方向の係止はされているものの、接合端の接合部では互いの突起と同形の溝とが上下方向に嵌合されているのみであるため、隣接する一方のマットが通行人や車椅子によって踏まれた時は、踏まれた側のマット端のみが圧縮され、他方のマットの接合端との間に多数の段差が生じる。
【０００６】
このため歩行者自身（特に身体に障害を持つ歩行困難者の場合）がこの段差につまづいたり、この段差の繰り返し発生により、突起部と溝の接合境界面間に土やゴミ等が入り込み易く、この部分の汚れも表れ易いという欠点がある。
【０００７】
また上記マットでは、嵌合し合う突起と溝のすべての外形線が交互に表面に露出することによって上記の問題は一層助長されており、マット表面の外観としても望ましくないという問題がある。
【課題を解決するための手段】
【０００８】
上記課題を解決するための本発明のマットは、第１に接合端に形成され互に嵌合し合う係合突起１ａ，２ａと係合溝１ｂ，２ｂを備えた接合部３を介して係脱可能に複数枚のマット１，２を連結接合し、床面上に敷設する弾性部材からなる歩行誘導マットにおいて、隣接して接合される一方のマット１の接合部３と他方のマット２の接合部３とを互に接合方向に同一厚みを保持して重ね合わせる構造とし、重ね合わされた上側接合部３ａに接合部３の表面を覆い且つ表面を形成するカバー部１ｃ，２ｃを設け、該カバー部の１ｃ，２ｃの下面側に前記係合突起１ａ，２ａと係合溝１ｂ，２ｂを形成し、カバー部１ｃ，２ｃの下面側で隣接マット同士が接合されることを特徴としている。
【０００９】
第２に、隣接して接合される一方のマット１，２の接合端にカバー部１ｃ，２ｃを設けた上側接合部３ａとカバー部１ｃ，２ｃを設けない下側接合部３ｂを設け、他方のマット１，２の接合端に上記上側接合部３ａと下側接合部３ｂにそれぞれ上下逆向きに重なり合う下側接合部３ｂと上側接合部３ａを設けてなることを特徴としている。
【００１０】
第３に、上側接合部３ａのカバー部１ｃ，２ｃの下面側に係合溝１ｂ，２ｂを形成し、下側接合部３ｂに係合突起１ａ，２ａを形成してなる
ことを特徴としている。
【００１１】
第４に、平面視においてマットの接合端の端面を幅方向の中央より片側が他方の片側よりセットバックした端面を形成し、セットバックした側の端面に係合突起１ａ，２ａを突設して当該側の接合部３を下側接合部３ｂとしたことを特徴としている。
【００１２】
第５に、マットの接合端側を除く外周縁の上面を接地面に向って緩やかに下降傾斜する傾斜面５に形成したことを特徴としている。
【００１３】
第６に、マットの傾斜面５の裏側の外周端側に凹凸面からなる滑り止め７を施したことを特徴としている。
【００１４】
第７に、係合突起１ａ，２ａの上面と係合溝１ｂ，２ｂの内部上面の前記傾斜面５に上下に重なり合う部分を、前記傾斜面５の傾斜と同方向の傾斜面８に形成したことを特徴としている。
【発明の効果】
【００１５】
以上のように構成される本発明のマットは次のような効果を奏する。
（１）隣接するマットの接合端が接合部において重なり合い、一方の端部が他方の端部を覆うカバー部となっているため、互に嵌合し合って連結接合される係合突起と係合溝がカバー部に覆われる。
このため互に係合し合う係合突起と係合溝が表面に露出せず、この部分を歩行者や車椅子で踏んでも、係合部同士の大きい段差が発生することがなく、カバー部と他の部分の段差は仮に生じても限られた段差となり、歩行者のつまづきや段差部分への土やゴミ等の詰りも生じ難いという利点があり、外観上も接合部が目立たずシンプルになる。
【００１６】
（２）接合部はカバー部の下方で上側接合部と下側接合部が嵌合し合って接合されるので、係合突起や係合溝の繰り返し利用による劣化や変形が防止され、係合外れ等も防止できる利点がある。
また接合端の境界線が幅方向の左右でセットバックしているため、隣接マット間で共にカバー部同士が互に逆向きに突出し合うことになり、接合部の左右方向の移動規制もより確実となるほか、カバー部のめくれ等が防止できる。
【００１７】
（３）車椅子やカート類の乗り上げをスムースにするマット周縁の下降傾斜面に沿って、係合突起の上面や係合溝内の上面を同方向の傾斜面にすることで、傾斜面の下部でも接合部が確実に機能し接合が安定し、傾斜面の周縁部底面の滑り止めにより、床面への固定も確実になる。
【図面の簡単な説明】
【００１８】
【図１】本体マットと端部マットの接合状態の平面図である。
【図２】（Ａ）は本体マットの接合部の全体斜視図、（Ｂ）は本体マットの接合部の係合溝を表す裏面の拡大斜視図、（Ｃ）は本体マットの接合部の係合突起を表す拡大斜視図である。
【図３】（Ａ）は本体マットの端面図、（Ｂ）は本体マットの中央横断面図、（Ｃ）は端部マットの中央縦断面図、（Ｄ）は図１のＤ−Ｄ断面図である。
【発明を実施するための形態】
【００１９】
図１〜３は本発明のマットの１実施例を示し、図１は平坦に形成された床面上に帯状に連結接合された状態と共に長方形の本体マット１と端部マット２との接合状態の平面図を示す。本体マット１は通常は同一形状のものがその前後の接合端に形成された接合部３を介して順次帯状に複数枚連結されて接合されており、端部マット２は帯状に連結配置された本体マット１の始端部又は終端部に、接合部３を介して連結接合される。
【００２０】
各マット１，２は図１に示すように平面視で左右の側端は連続した緩やかな波形に、端部マット２の前（又は後）端は内側に湾曲した山形のアールに、同じくそのコーナー部もアールに形成されており、本実施例ではマット幅３００ｍｍである。
また本体マット１は両端の接合部３を含めて前後長３２０ｍｍ，同じく端部マット２は１６０ｍｍであり、接合部３自体の前後幅（嵌合部の幅）はいずれも２０ｍｍである。各マット１，２の前後端中心にはセンターマーク４が付されている。
【００２１】
図２（Ａ）と図３（Ａ），（Ｂ）に示すように本体マット１は左右方向断面で中央が左右幅１１０ｍｍの範囲で中高（７ｍｍ）の平行な厚みを保持し、その両側は接地面に向って緩やかに下降した傾斜面５となっており、この傾斜面５は端部マット２の左右両側と前（後）端側（図３（Ｃ）参照）にも同様に形成され、敷設されたマット端部の段差を解消し、歩行者や車椅子の乗り上げを容易にしている。なお、端部マット２の接合端側の断面も端面も本体マット１と同様な形状，寸法に形成されており、接合部３の詳細については後述する。
【００２２】
また本体マット１の幅方向の中央部１７５ｍｍ幅の範囲で接合部３を除く底面側には、多数の半円形の突部からなる滑り止めと弾力効果をもたせる凹凸６が接地面（裏面）に形成されており、上記傾斜面の裏側（底面側）外周縁にも外周縁に沿った滑り止め用の凹凸７が間欠的な帯状に付されている。
【００２３】
接合部３は、図１に示すようにこの実施例では平面視で隣接するマット１，２の一方のマット端部にアリ状の係合突起１ａとアリ溝状の係合溝１ｂとが順次互に嵌合し合うサイズで左右方向に交互に形成され、他方のマットの端部に上記係合突起１ａ及び係合溝１ｂと上下方向に嵌合して連結接合するアリ溝状の係合溝２ｂ及びアリ状の係合突起２ａが同じ左右方向に交互に並べて形成されている。
【００２４】
上記係合突起１ａ，２ａと係合溝１ｂ，２ｂはマット１，２の中心線に対して回転対称形に且つ各マットの中央寄りに所定幅内に配置されている。そして図示する例では一方のマット１の左側半分の上側（表面側）には係合溝１ｂの上面を覆うカバー部１ｃが形成され、且つその左右のマット表面と連続する面一の表面となるように形成されており、このカバー部１ｃはその下部の係合溝１ｂに嵌合した際に、他方のマット２の係合突起２ａの上面に重ねられて被さる構造になっている。このため他方の係合突起２ａの上面はカバー部１ｃの厚み分だけ薄い厚みの段差を形成しており、左半分の接合部３で上部を覆い且つマット表面を形成する部分が上部接合部３ａとなり、その下部で該上部接合部３ａに覆われ且つ表面に表れない部分が他方のマット２の下部接合部３ｂとなる。係合突起２ａ上の段差により、重ね合わされた部分の接合部３のマットの厚みは他と同一の厚みに保持される。
【００２５】
なお上記下部接合部３ｂを構成する係合突起１ａ（２ａ）や係合溝１ｂ（２ｂ）の外側端は、前述した傾斜面５と重複して形成されているため、傾斜面５に掛かる部分の係合突起１ａ（２ａ）の上面は、上記傾斜面５に沿ってこれと平行になるように形成されている（図２（Ａ），（Ｃ），図３（Ａ）参照）。またこれに対応し、傾斜面５と重なる係合溝１ｂ（２ｂ）の内部上面もその重なり部分において、上面の傾斜面の傾斜に沿って平行な傾斜面になるように形成されている（図２（Ｂ），図３（Ａ）参照）。
【００２６】
この関係は隣接するマット１，２の接合部３の右半部においては逆となり、一方のマット１の接合部３の係合突起１ａ側が下部接合部３ｂとなり、他方のマット２の係合溝２ｂ側が上部接合部３ａとなる。
【００２７】
一方のマット１の中央寄りの係合突起１ａと他方のマット２の中央寄りの係合突起２ａとは、互いの係合突起１ａ，２ａの側面同士が密着して嵌合し合い、各マット１，２の上部接合部１ａ，２ａの突き合わせ端面は、この例ではマット中心位置で左側の端面が右側の端面（マット１，２の表面側境界線）より接合部３の幅だけＳ字状の境界線を介してセットバックしている。
【００２８】
上記セットバック構造により、接合部３の上側接合部３ａは右半部と左半部が前後逆向きに形成され、接合が安定し、特に左右方向の外力に対する安定が良い他、マットの接合部３を上から押圧した際の圧縮も左右いずれか一方ですむという利点がある。
【００２９】
上記接合部３の構造は、本体マット１同士の接合部や最後の本体マット１に対して接合する終端部の端部マット（図示しない）の接合部の場合も同様に形成され且つ接合方法も全く同一である。
【００３０】
尚、上記実施例では係合突起１ａ，２ａと係合溝１ｂ，２ｂはアリとアリ溝として示したが、両者の外形は互いに連結するように嵌合し合う形状であれば、例えばフック状又はＴ字形等のようにそれ以外の形状でもよい。その他接合部３の上側接合部３ａは、隣接し合うマットの端部を左右に振り分けて交互に逆向きとしたが、いずれか一方向に揃えてもよい。
【符号の説明】
【００３１】
１，２    マット
１ａ，２ａ    係合突起
１ｂ，２ｂ    係合溝
１ｃ，２ｃ    カバー部
３    接合部
３ａ  上側接合部
３ｂ  下側接合部
４    センターマーク
５    傾斜面
７    凹凸（滑り止め）
８    傾斜面
【図１】
2015224445.tif 000003
【図２】
2015224445.tif 000004
【図３】
2015224445.tif 000005